(57)【要約】【課題】キャスティングコントロール機構の誤操作を防止できる両軸受リールを、提供する。【解決手段】両軸受リール１００は、釣り糸を前方に繰り出し可能に構成される両軸受リールである。リール本体１では、釣竿ＲＤに装着される竿取付部７ｄが、下部に設けられている。ハンドル４は、竿取付部７ｄが釣竿ＲＤに装着された状態で、後方から見てリール本体１の左側に配置される。キャスティングコントロール機構６の操作部材３２は、糸巻き取り方向ＨＲと同じ第１回転方向Ｒ１に回転することによって、スプール３に作用する制動力を増加させる。操作部材３２は、第１回転方向Ｒ１とは反対の第２回転方向Ｒ２に回転することによって、スプール３に作用する制動力を減少させる。【選択図】図１
2019000047.tif 000002
【特許請求の範囲】
【請求項１】
釣り糸を前方に繰り出し可能に構成される両軸受リールであって、
釣竿に装着される竿取付部が下部に設けられるリール本体と、
前記竿取付部が釣竿に装着された状態で、後方から見て前記リール本体の左側に配置されるハンドルと、
前記ハンドルが糸巻き取り方向に回転した場合に回転するスプール軸と、
前記スプール軸と一体回転可能に構成されるスプールと、
前記リール本体及び前記ハンドルの間において前記リール本体に設けられるカバー部と、前記カバー部に設けられ前記スプール軸が挿通されるボス部とを、有するカバー部材と、
前記スプール軸を押圧可能なように前記ボス部に係合する操作部材を有し、前記操作部材の回転によって前記スプールに作用する制動力を調整するキャスティングコントロール機構と、
を備え、
前記操作部材は、前記糸巻き取り方向と同じ第１操作方向に操作することによって前記制動力を増加させ、前記第１操作方向とは反対の第２操作方向に操作することによって前記制動力を減少させる、
両軸受リール。
【請求項２】
前記竿取付部が釣竿に装着された状態で前記カバー部材の外側から見た側方視において、前記糸巻き取り方向及び前記第１操作方向は、反時計回りの方向である、
請求項１に記載の両軸受リール。
【請求項３】
前記ボス部は、外周部に形成される雄ねじ部を、有し、
前記操作部材は、有底筒状に形成される本体部と、前記本体部の内周部に形成され前記雄ねじ部に螺合する雌ねじ部と、前記本体部の底部に形成され前記スプール軸の端部を押圧可能な押圧部とを、有する、
請求項１又は２に記載の両軸受リール。
【発明の詳細な説明】
【技術分野】
【０００１】
本発明は、両軸受リール、特に、釣り糸を前方に繰り出し可能に構成される両軸受リールに関する。
【背景技術】
【０００２】
従来の両軸受リールには、キャスティングコントロール機構が設けられたものがある（特許文献１を参照）。キャスティングコントロール機構では、ボス部に螺合する操作部材を回転することによって、スプールに作用する制動力が調整される。また、操作部材としてレバーを用いる場合もある（特許文献２）。
【先行技術文献】
【特許文献】
【０００３】
【特許文献１】特開２０１２−１００６２４号公報
【特許文献２】特開２０１６―２２０５４７号公報
【発明の概要】
【発明が解決しようとする課題】
【０００４】
特許文献１の両軸受リールでは、ハンドルが、竿取付部が釣竿に装着された状態で、後方から見てリール本体の右側に配置されている。この場合、キャスティングコントロール機構の操作部材は、側方視において右ねじ方向（ハンドルの糸巻き取り方向と同じ方向）に回転することによって、ねじ込まれる。これにより、スプールに作用する制動力が、増加する。特許文献２の両軸受リールでは、レバーを前方に倒すことによって、スプールに作用する制動力が、増加する。
【０００５】
一方で、従来の両軸受リールでは、ハンドルが、竿取付部が釣竿に装着された状態で、後方から見てリール本体の左側に配置されるものもある。この場合、キャスティングコントロール機構の操作部材は、側方視において右ねじ方向（ハンドルの糸巻き取り方向と反対の方向）に回転することによって、あるいはレバーを後方に倒すことによって、スプールに作用する制動力が、増加する。
【０００６】
このように、従来の両軸受リールでは、右ハンドルである場合、ハンドルの糸巻き取り方向と、操作部材の操作方向とが同じである。これに対して、左ハンドルである場合、ハンドルの糸巻き取り方向と、操作部材の操作方向とが反対である。このため、左ハンドルの両軸受リールを利用する釣人は、操作部材の操作を誤ってしまうおそれがある。
【０００７】
本発明は、上記の問題に鑑みてなされたものであって、本発明の目的は、キャスティングコントロール機構の誤操作を防止できる両軸受リールを、提供することにある。
【課題を解決するための手段】
【０００８】
本発明の一側面に係る両軸受リールは、釣り糸を前方に繰り出し可能に構成される両軸受リールである。本両軸受リールは、リール本体と、ハンドルと、スプール軸と、スプールと、カバー部材と、キャスティングコントロール機構とを、備えている。
【０００９】
リール本体では、釣竿に装着される竿取付部が、下部に設けられている。ハンドルは、竿取付部が釣竿に装着された状態で、後方から見てリール本体の左側に配置される。スプール軸は、ハンドルが糸巻き取り方向に回転した場合に回転する。スプールは、スプール軸と一体回転可能に構成される。カバー部材は、カバー部と、ボス部とを、有する。カバー部は、リール本体及びハンドルの間において、リール本体に設けられる。ボス部は、カバー部に設けられる。ボス部には、スプール軸が挿通される。
【００１０】
キャスティングコントロール機構は、操作部材を有する。操作部材は、スプール軸を押圧可能なように、ボス部に係合している。キャスティングコントロール機構は、操作部材の回転によって、スプールに作用する制動力を調整する。ここで、操作部材は、糸巻き取り方向と同じ第１操作方向に操作することによって、スプールに作用する制動力を、増加させる。また、操作部材は、第１操作方向とは反対の第２操作方向に操作することによって、スプールに作用する制動力を、減少させる。
【００１１】
本両軸受リールでは、ハンドルが、竿取付部が釣竿に装着された状態で、後方から見てリール本体の左側に配置されている。この状態において、ハンドルの糸巻き取り方向と、操作部材の第１操作方向とは、同じである。これにより、左ハンドルの両軸受リールを利用する釣人は、操作部材を違和感なく操作することができる。すなわち、本両軸受リールでは、キャスティングコントロール機構の誤操作を防止できる。
【００１２】
本発明の他の側面に係る両軸受リールでは、竿取付部が釣竿に装着された状態でカバー部材の外側から見た側方視において、糸巻き取り方向及び第１操作方向が、反時計回りの方向である。
【００１３】
このように構成しても、左ハンドルの両軸受リールを利用する釣人は、操作部材を違和感なく操作することができる。すなわち、本両軸受リールでは、キャスティングコントロール機構の誤操作を防止できる。
【００１４】
本発明の他の側面に係る両軸受リールでは、ボス部が、外周部に形成される雄ねじ部を、有する。操作部材は、本体部と、雌ねじ部と、押圧部とを、有する。本体部は、有底筒状に形成される。雌ねじ部は、本体部の内周部に形成され、雄ねじ部に螺合する。押圧部は、本体部の底部に形成され、スプール軸の端部を押圧可能である。
【００１５】
このように構成することによって、キャスティングコントロール機構の誤操作を防止できるとともに、キャスティングコントロール機構を確実に作動させることができる。
【発明の効果】
【００１６】
本発明は、上記の問題に鑑みてなされたものであって、本発明によれば、両軸受リールにおいて、キャスティングコントロール機構の誤操作を防止することができる。
【図面の簡単な説明】
【００１７】
【図１】本発明の一実施形態が採用された両軸受リールの側面図。
【図２】本発明の一実施形態が採用された両軸受リールの背面図。
【図３】本発明の一実施形態が採用された両軸受リールの斜視図。
【図４】図１のIV−IV線断面図。
【図５】操作部材の近傍の部分拡大断面図。
【発明を実施するための形態】
【００１８】
本発明の一実施形態が採用された両軸受リール１００は、釣り糸を前方に繰り出し可能に構成される。図１〜図４に示すように、両軸受リール１００は、リール本体１と、スプール軸２と、スプール３と、ハンドル４と、側カバー８（カバー部材の一例）と、キャスティングコントロール機構６とを、備えている。また、両軸受リール１００は、回転伝達機構５を、さらに備えている。
【００１９】
ここで、以下で用いられる文言について、説明しておく。以下では、釣りを行うときに釣り糸が繰り出される方向（釣り糸の繰り出し方向）を、前方（前側）と記すことがある。言い換えると、両軸受リール１００の竿取付部７ｄ（後述する）が釣竿ＲＤに装着された状態において、釣り糸が繰り出される方向（釣り糸の繰り出し方向）を、前方（前側）と記すことがある。また、釣り糸の繰り出し方向とは反対の方向を、後方（後側）と記すことがある。
【００２０】
上記の前方及び後方の定義に基づいて、左方（左側）、右方（右側）、上方（上側）、及び下方（下側）という文言が、用いられることがある。また、前方、後方、左方、右方、上方、及び下方の定義に基づいて、両軸受リール１００例えばリール本体１において、前部、後部、左側部、右側部、上部、及び下部が、用いられることがある。
【００２１】
例えば、両軸受リール１００例えばリール本体１における左方（左側）、右方（右側）、上方（上側）、及び下方（下側）は、図１における左方（左側）、右方（右側）、上方（上側）、及び下方（下側）に、各別に対応している。また、両軸受リール１００例えばリール本体１における上方（上側）及び下方（下側）は、図３における上方（上側）及び下方（下側）に、各別に対応している。
【００２２】
（リール本体）
図１〜図４に示すように、リール本体１は、第１側板７ａと、第２側板７ｂと、複数の連結部７ｃと、竿取付部７ｄと、を有している。第１側板７ａは、竿取付部７ｄが釣竿ＲＤに装着された状態で、後方から見てリール本体１の左側に配置される（図２及び図３を参照）。第１側板７ａは、側カバー８によって覆われている。詳細には、第１側板７ａの外側、例えば第１側板７ａの左側は、側カバー８によって覆われている（図１〜図３を参照）。
【００２３】
図４に示すように、第１側板７ａは、スプール軸２、ピニオンギア２２（後述する）、及び駆動軸２０（後述する）を、回転可能に支持する。詳細には、第１側板７ａは、軸受１５ａを介して、スプール軸２を回転可能に支持する。第１側板７ａは、軸受２６ａを介して、ピニオンギア２２を回転可能に支持する。また、第１側板７ａは、軸受２４ａを介して、駆動軸２０を回転可能に支持する。
【００２４】
具体的には、第１側板７ａは、第１環状部１７ａと、軸支持部１７ｂとを、有している。第１環状部１７ａは、実質的に環状に形成されている。軸支持部１７ｂは、実質的に円板状に形成されている。軸支持部１７ｂは、第１環状部１７ａに装着される。詳細には、軸支持部１７ｂは、第１環状部１７ａにネジ込まれている。なお、軸支持部１７ｂは、固定手段例えばネジ部材等によって、第１環状部１７ａに固定されてもよい。
【００２５】
軸支持部１７ｂは、スプール軸２を回転可能に支持する。詳細には、軸支持部１７ｂには、第１軸受装着部１７ｃ及び第２軸受装着部１７ｄが、形成されている。第１軸受装着部１７ｃは、実質的に筒状に形成されている。第１軸受装着部１７ｃには、軸受１５ａ，２６ａが配置される。これにより、軸支持部１７ｂは、軸受１５ａを介して、スプール軸２を回転可能に支持する。また、軸支持部１７ｂは、軸受２６ａを介して、ピニオンギア２２を回転可能に支持する。
【００２６】
第２軸受装着部１７ｄは、実質的に有底筒状に形成されている。第２軸受装着部１７ｄには、軸受２４ａが配置される。これにより、軸支持部１７ｂは、軸受２４ａを介して、駆動軸２０の一端部を回転可能に支持する。
【００２７】
第２側板７ｂは、実質的に円板状に形成されている。第２側板７ｂは、スプール軸２の軸心Ｊ１が延びるスプール軸方向において、第１側板７ａと間隔を隔てて配置されている。第２側板７ｂは、スプール軸２を回転可能に支持する。詳細には、第２側板７ｂは、軸受１５ｂを介して、スプール軸２を回転可能に支持する。
【００２８】
第２側板７ｂは、第２環状部２７ａと、第１カバー部２７ｂとを、有する。第２環状部２７ａは、実質的に環状に形成されている。第１カバー部２７ｂは、第２環状部２７ａを覆う部分であり、第２環状部２７ａと一体に形成されている。第１カバー部２７ｂは、スプール軸２を回転可能に支持する。
【００２９】
詳細には、第１カバー部２７ｂには、第３軸受装着部２７ｃが、形成されている。第３軸受装着部２７ｃは、有底筒状に形成されている。第３軸受装着部２７ｃには、軸受１５ｂが配置される。これにより、第１カバー部２７ｂは、軸受１５ｂを介して、スプール軸２を回転可能に支持する。
【００３０】
なお、ここでは、第１カバー部２７ｂが、第２環状部２７ａと一体に形成される場合の例を示したが、第１カバー部２７ｂは第２環状部２７ａと別体に形成してもよい。
【００３１】
複数の連結部７ｃは、第１側板７ａと第２側板７ｂとを連結する部分である。複数の連結部７ｃそれぞれは、第１側板７ａ及び第２側板７ｂと一体に形成されている。
【００３２】
竿取付部７ｄは、釣竿ＲＤに装着される部分である。竿取付部７ｄは、リール本体１の下部に設けられている。詳細には、竿取付部７ｄは、固定手段例えばリベット又はネジ部材等によって、リール本体１の下部に取り付けられている。なお、竿取付部７ｄは、リール本体１の下部において、リール本体１と一体に形成されていてもよい。
【００３３】
（スプール軸）
図１に示すように、スプール軸２は、ハンドル４が糸巻き取り方向ＨＲに回転した場合に回転する。詳細には、スプール軸２は、駆動軸２０が糸巻き取り方向ＨＲに回転した場合に、ピニオンギア２２と一体回転可能に構成される。なお、図１〜図４に示すように、糸巻き取り方向ＨＲは、駆動軸２０の軸心Ｊ２を基準として定義される。
【００３４】
図４に示すように、スプール軸２は、スプール３の内周部に挿通され、スプール３と一体回転可能に構成されている。スプール軸２は、リール本体１に回転可能に支持される。詳細には、スプール軸２は、軸受１５ａ及び軸受１５ｂを介して、リール本体１に回転可能に支持される。
【００３５】
具体的には、スプール軸２の中央部が軸受１５ａを介して第１側板７ａに支持され、スプール軸２の一端部が軸受１５ｂを介して第２側板７ｂに支持される。この状態において、スプール軸２の他端部が、側カバー８の第１ボス部１３に挿通されている。
【００３６】
スプール軸２には、クラッチ構造を構成するピン部材２ａが、設けられている。ピン部材２ａは、スプール軸２の軸心Ｊ１から離れる径方向において、スプール軸２の外周面から突出している。
【００３７】
ここで、クラッチ構造を構成するピニオンギア２２の凹部２２ａが、ピン部材２ａに係合した状態（クラッチオン状態）では、スプール軸２は、ピニオンギア２２と一体回転可能である。この状態では、ハンドル４が糸巻き取り方向ＨＲに回転すると、ピニオンギア２２を含む回転伝達機構５を介して、スプール軸２が回転する。
【００３８】
一方で、ピニオンギア２２の凹部２２ａが、ピン部材２ａから離脱した状態（クラッチオフ状態）においては、スプール軸２は、ピニオンギア２２と相対回転可能である。このため、この状態では、スプール軸２が回転しても、スプール軸２の回転はピニオンギア２２には伝達されない。
【００３９】
（スプール）
図４に示すように、スプール３は、スプール軸２と一体回転可能に構成される。例えば、スプール３は、スプール軸２に固定されている。スプール３は、第１側板７ａと第２側板７ｂとの間において、スプール軸２と一体回転可能である。
【００４０】
（ハンドル）
図２及び図３に示すように、ハンドル４は、竿取付部７ｄが釣竿ＲＤに装着された状態で、後方から見てリール本体１の左側に配置される。例えば、ハンドル４は、リール本体１の第１側板７ａ側に、設けられている。また、ハンドル４は、リール本体１の側カバー８側に、設けられている。
【００４１】
図４に示すように、ハンドル４は、リール本体１に対して回転可能に構成されている。詳細には、ハンドル４は、リール本体１及び側カバー８に対して、回転可能に構成されている。ハンドル４は、駆動軸２０と一体回転可能するように駆動軸２０に連結されている。
【００４２】
例えば、ハンドル４が糸巻き取り方向ＨＲに回転すると（図１を参照）、図４に示すように、スプール３が、回転伝達機構５を介して、スプール軸２とともに回転する。詳細には、クラッチオン状態において、ハンドル４が、糸巻き取り方向ＨＲに回転すると、スプール３が、回転伝達機構５を介して、スプール軸２とともに回転する。
【００４３】
ここで、図１に示すように、竿取付部７ｄが釣竿ＲＤに装着された状態で側カバー８の外側から見た側方視、例えば、竿取付部７ｄが釣竿ＲＤに装着された状態で側カバー８の左側から側カバー８をスプール軸方向に見た場合の側方視において、糸巻き取り方向ＨＲは、反時計回りの方向である。
【００４４】
（側カバー）
図１〜図４に示すように、側カバー８は、第１側板７ａを覆っている。図２に示すように、側カバー８は、竿取付部７ｄが釣竿ＲＤに装着された状態で、後方から見てリール本体１の左側に配置される。側カバー８は、リール本体１の左側部に固定されている。
【００４５】
図４に示すように、側カバー８は、第２カバー部１０と、第１ボス部１３と、第２ボス部１４とを、有する。第２カバー部１０は、リール本体１及びハンドル４の間において、リール本体１に設けられる。詳細には、第２カバー部１０は、リール本体１及びハンドル４の間に配置され、固定手段例えばネジ部部材によってリール本体に固定されている。
【００４６】
図２〜図５に示すように、第１ボス部１３は、第２カバー部１０と一体に形成されている。図４に示すように、第１ボス部１３の内周部には、スプール軸２の他端部が配置される。図５に示すように、第１ボス部１３は、筒状のボス本体１３ａと、雄ねじ部１３ｂと、環状溝部１３ｃとを、有する。ボス本体１３ａは、スプール軸方向において、第２カバー部１０から外方に突出している。ボス本体１３ａには、スプール軸２が挿通される。詳細には、ボス本体１３ａには、スプール軸２の他端部が挿通される。また、ボス本体１３ａは、軸受２６ｂを介して、ピニオンギア２２の端部を回転可能に支持する。
【００４７】
雄ねじ部１３ｂは、ボス本体１３ａの外周部に形成されている。雄ねじ部１３ｂには、操作部材３２（後述する）が装着される。詳細には、操作部材３２が第１回転方向Ｒ１に回転した場合、例えば操作部材３２が反時計回りに回転した場合に、操作部材３２がねじ込まれるように、雄ねじ部１３ｂは形成されている。より詳細には、雄ねじ部１３ｂは、左ねじである。雄ねじ部１３ｂには、操作部材３２の雌ねじ部（後述する）が、螺合する。なお、第１回転方向Ｒ１は、スプール軸２の軸心Ｊ１を基準として定義される。
【００４８】
環状溝部１３ｃは、ボス本体１３ａの外周部に形成されている。例えば、環状溝部１３ｃは、駆動軸２０の軸心Ｊ２まわりの周方向に延びている。スプール軸２の軸心Ｊ１から離れる径方向における環状溝部１３ｃ及び操作部材３２の間には、異物の侵入を規制するための規制部材１３ｄ、例えばＯリングが、配置される。
【００４９】
図２〜図４に示すように、第２ボス部１４は、第２カバー部１０と一体に形成されている。第２ボス部１４は、スプール軸方向において、第２カバー部１０から外方に突出している。図４に示すように、第２ボス部１４は、スプール軸２の軸心Ｊ１から離れる径方向において、第１ボス部１３と間隔を隔てて配置されている。詳細には、図１及び図３に示すように、第２ボス部１４は、第１ボス部１３よりも前方に配置されている。
【００５０】
図３に示すように、第２ボス部１４は、実質的に筒状に形成されている。図４に示すように、第２ボス部１４には、駆動軸２０が挿通される。詳細には、第２ボス部１４は、軸受２４ｂを介して、駆動軸２０の他端部を回転可能に支持する。
【００５１】
第２ボス部１４には、環状の突起１４ａが形成されている。環状の突起１４ａは、第２ボス部１４の外周面に一体に形成されている。環状の突起１４ａは、駆動軸２０の軸心Ｊ２から離れる径方向において、第２ボス部１４の外周面から突出している。環状の突起１４ａは、駆動軸２０の軸心Ｊ２まわりの周方向において、第２ボス部１４の外周面に沿って延びている。
【００５２】
（キャスティングコントロール機構）
キャスティングコントロール機構６は、スプール軸２を押圧することによって、スプール３に作用する制動力を、調整する。例えば、キャスティングコントロール機構６は、操作部材３２（後述する）の回転によって、スプール３に作用する制動力を調整する。図４に示すように、キャスティングコントロール機構６は、第１摩擦プレート３０と、第２摩擦プレート３１と、操作部材３２とを、有している。
【００５３】
図５に示すように、第１摩擦プレート３０は、操作部材３２に配置されている。詳細には、第１摩擦プレート３０は、操作部材３２の底部に配置され、操作部材３２の底部に当接している。第１摩擦プレート３０は、スプール軸２の他端部に当接している。すなわち、第１摩擦プレート３０は、操作部材３２の底部とスプール軸２の他端部との間に、配置されている。
【００５４】
図４に示すように、第２摩擦プレート３１は、第２側板７ｂに配置されている。詳細には、第２摩擦プレート３１は、第１カバー部２７ｂの第３軸受装着部２７ｃの底部に配置され、第１カバー部２７ｂの第３軸受装着部２７ｃの底部に当接している。第２摩擦プレート３１は、スプール軸２の一端部に当接している。すなわち、第２摩擦プレート３１は、第１カバー部２７ｂの第３軸受装着部２７ｃの底部とスプール軸２の一端部との間に、配置されている。
【００５５】
図４及び図５に示すように、操作部材３２は、側カバー８の第１ボス部１３に装着されている。詳細には、操作部材３２は、スプール軸方向に移動可能に第１ボス部１３に装着されている。例えば、操作部材３２は、スプール軸２を押圧可能なように、第１ボス部１３に係合している。より具体的には、操作部材３２は、スプール軸２を押圧可能なように、第１ボス部１３に螺合している。
【００５６】
図１に示すように、操作部材３２は、糸巻き取り方向ＨＲと同じ第１回転方向Ｒ１（第１操作方向の一例）に操作することによって、スプール３に作用する制動力を、増加させる。例えば、操作部材３２は、糸巻き取り方向ＨＲと同じ第１回転方向Ｒ１に回転することによって、ねじ込まれる。これにより、スプール３に作用する制動力が、増加する。この場合、操作部材３２は、スプール軸方向において、第２側板７ｂ（第１カバー部２７ｂ）に向けて移動する。
【００５７】
一方で、操作部材３２は、第１回転方向Ｒ１とは反対の第２回転方向Ｒ２（第２操作方向の一例）に操作することによって、スプール３に作用する制動力を、減少させる。例えば、操作部材３２は、第１回転方向Ｒ１とは反対の第２回転方向Ｒ２に回転することによって、弛められる。これにより、スプール３に作用する制動力が、減少する。この場合、操作部材３２は、スプール軸方向において、第２側板７ｂ（第１カバー部２７ｂ）から離れるように移動する。なお、第２回転方向Ｒ２は、スプール軸２の軸心Ｊ１を基準として定義される。
【００５８】
ここで、図１に示すように、竿取付部７ｄが釣竿ＲＤに装着された状態で側カバー８の外側から見た側方視、例えば、竿取付部７ｄが釣竿ＲＤに装着された状態で側カバー８の左側から側カバー８をスプール軸方向に見た場合の側方視において、第１回転方向Ｒ１は、反時計回りの方向である。
【００５９】
図５に示すように、操作部材３２は、本体部３２ａと、雌ねじ部３２ｂと、押圧部３２ｃとを、有する。本体部３２ａは、有底筒状に形成される。本体部３２ａの外周面は、回転操作される部分であり、例えばローレット加工により滑り止め処理が施されている。
【００６０】
雌ねじ部３２ｂは、本体部３２ａの内周面に形成されている。雌ねじ部３２ｂは、側カバー８の第１ボス部１３に設けられた雄ねじ部１３ｂに、螺合する。詳細には、雌ねじ部３２ｂは、左ねじである雄ねじ部１３ｂに、螺合する。
【００６１】
押圧部３２ｃは、スプール軸２の端部を押圧可能に形成されている。押圧部３２ｃは、本体部３２ａの底部に形成されている。例えば、押圧部３２ｃは第１摩擦プレート３０に当接し、第１摩擦プレート３０はスプール軸２の他端部に当接している。この状態において、操作部材３２が第１回転方向Ｒ１に回転すると、押圧部３２ｃは、第１摩擦プレート３０を介して、スプール軸２の他端部をスプール軸方向に押圧する。
【００６２】
上述したキャスティングコントロール機構６では、操作部材３２を回転操作することによって、スプール３に作用する制動力が調整される。具体的には、図１に示すように操作部材３２が第１回転方向Ｒ１（反時計回り）に回転すると、スプール軸２が、第１摩擦プレート３０及び第２摩擦プレート３１を介して、操作部材３２及び第２側板７ｂ（第１カバー部２７ｂ）によって押圧される。これにより、スプール軸２に作用するスプール軸方向の押圧力が、大きくなる。一方で、図１に示すように操作部材３２が第２回転方向Ｒ２（時計回り）に回転すると、スプール軸２に作用するスプール軸方向の押圧力が、小さくなる。このように、スプール軸２に作用するスプール軸方向の押圧力を変化させることによって、スプール３に作用する制動力が調整される。
【００６３】
（回転伝達機構）
回転伝達機構５は、ハンドル４の回転をスプール軸２に伝達するための機構である。図４に示すように、回転伝達機構５は、駆動軸２０と、駆動ギア２１と、筒状のピニオンギア２２と、ドラグ機構２３とを、有している。
【００６４】
駆動軸２０は、ハンドル４と一体回転可能に連結されている。駆動軸２０の一端部は、軸受２４ａを介して、第１側板７ａ（軸支持部１７ｂ）に回転可能に支持されている。駆動軸２０の他端部は、軸受２４ｂを介して、側カバー８（第２ボス部１４）に回転可能に支持されている。詳細には、駆動軸２０の他端部は、第２ボス部１４に挿通され、軸受２４ｂを介して第２ボス部１４に回転可能に支持されている。
【００６５】
なお、駆動軸２０は、側カバー８の第２ボス部１４に配置されたワンウェイクラッチ２５によって、釣り糸繰り出し方向への回転が禁止されている。
【００６６】
駆動ギア２１は、駆動軸２０に装着されている。ピニオンギア２２は、軸受２６ａ，２６ｂを介して、リール本体１（第１側板７ａ、軸支持部１７ｂ）、及び側カバー８（第１ボス部１３）に、回転可能に支持される。
【００６７】
ピニオンギア２２は、実質的に筒状に形成されている。ピニオンギア２２の外周部は、駆動ギア２１に噛み合っている。これにより、駆動軸２０が回転すると、駆動軸２０の回転は、ドラグ機構２３及び駆動ギア２１を介して、ピニオンギア２２に伝達される。
【００６８】
ピニオンギア２２の内周部には、スプール軸２が挿通される。ピニオンギア２２は、スプール軸２の軸心Ｊ１が延びるスプール軸方向において、スプール軸２に対して移動可能にスプール軸２の外周部に配置される。ピニオンギア２２の一端部には、凹部２２ａが形成されている。凹部２２ａには、スプール軸２のピン部材２ａが、係合可能且つ離脱可能である。
【００６９】
凹部２２ａがピン部材２ａに係合すると、ピニオンギア２２は、スプール軸２と一体回転可能になる。この状態が、クラッチオン状態である。クラッチオン状態では、ピニオンギア２２の回転が、スプール軸２を介して、スプール３に伝達される。
【００７０】
凹部２２ａがピン部材２ａから離脱すると、ピニオンギア２２は、スプール軸２と相対回転可能になる。この状態が、クラッチオフ状態である。クラッチオン状態では、スプール３の回転すなわちスプール軸２の回転が、ピニオンギア２２に伝達されない。
【００７１】
クラッチオン状態において、側カバー８に揺動可能に設けられたクラッチ操作部材１１（図１を参照）を操作すると、図示しない係合解除機構によって、凹部２２ａ及びピン部材２ａの係合が解除される。これにより、クラッチオフ状態になる。
【００７２】
クラッチオフ状態において、ハンドル４を糸巻き取り方向ＨＲに回転すると、図示しない係合機構によって、凹部２２ａがピン部材２ａに係合する。これにより、クラッチ構造は、クラッチオフ状態からラッチオン状態に復帰する。
【００７３】
ドラグ機構２３は、スプール３の釣り糸繰り出し方向の回転を制動するためのものである。ドラグ機構２３ついては、従来と同様の構成であるため、詳細な説明は省略する。なお、本実施形態では、ドラグ機構２３の一部を構成するスタードラグの筒状部２３ａが側カバー８の第２ボス部１４の外周部の一部を覆うようにして配置されている。より詳細には、筒状部２３ａは、第２ボス部１４の環状の突起１４ａの径方向外側を覆うようにして配置されている。これにより、筒状部２３ａと第２ボス部１４との隙間から側カバー８の内部等への水の浸入が、規制される。
【００７４】
上記の構成を有する両軸受リール１００では、図２に示すように、ハンドル４が、竿取付部７ｄが釣竿ＲＤに装着された状態で、後方から見てリール本体１の左側に配置されている。この状態において、図１に示すように、ハンドル４の糸巻き取り方向ＨＲと、操作部材３２の第１回転方向Ｒ１とは、同じである。これにより、左ハンドルの両軸受リール１００を利用する釣人は、操作部材３２を違和感なく操作することができる。すなわち、本両軸受リール１００では、キャスティングコントロール機構６の誤操作を防止できる。
【００７５】
＜他の実施形態＞
以上、本発明の実施形態について説明したが、具体的な構成はこれらの実施形態に限られるものではなく、発明の要旨を逸脱しない範囲で変更可能である。
【００７６】
（ａ）前記実勢形態では、スプール３はスプール軸２の外周に固定される場合の例を示したが、スプール３及びスプール軸２の連結形態は、前記実施形態に限定されず、どのように構成してもよい。また、スプール３及びスプール軸２の各構成は、前記実施形態に限定されず、どのように構成してもよい。
【００７７】
（ｂ）前記実施形態では、雄ねじ部１３ｂが第１ボス部１３の外周面に設けられ、雌ねじ部３２ｂが操作部材３２の内周面に設けられる場合の例を示したが、操作部材３２を第１回転方向Ｒ１（反時計回り）に回転することによって、操作部材３２が第１ボス部１３にねじ込まれるのであれば、どのように構成してもよい。
【００７８】
例えば、雄ねじ部を操作部材３２の外周面に形成し、雌ねじ部を第１ボス部１３の内周面に形成してもよい。この場合、操作部材３２の雄ねじ部が第１ボス部の雌ねじ部にネジ込まれる。また、操作部材３２の外周面に形成された雄ねじ部は、左ねじである。
【００７９】
（ｃ）前記実施形態では操作部材３２及び第１ボス部１３を螺合させる場合の例を示したが、操作部材３２及び第１ボス部１３は、カム係合させてもよい。また、操作部材３２及び第１ボス部１３は、ハンドル４の糸巻き取り方向ＨＲと同じ第１回転方向Ｒ１への回転によってスプール３に作用する制動力を増加させる斜面カムを、内装してもよい。
【００８０】
（ｄ）前記実施形態では、操作部材３２が第１ボス部１３に回転可能に装着される場合の例を示したが、操作部材３２は、第１ボス部１３に揺動可能に装着されてもよい。この場合、操作部材３２は、レバータイプの操作部材であることが好ましい。例えば、この操作部材３２を第１揺動方向（第１回転方向Ｒ１に対応；第１操作方向の一例）に揺動すると、スプール３に作用する制動力が増加する。一方で、この操作部材３２を第２揺動方向（第２回転方向Ｒ２に対応；第２操作方向の一例）を揺動すると、スプール３に作用する制動力が減少する。ここで、第１揺動方向は、糸巻き取り方向ＨＲと同じ方向である。また、第２揺動方向は、第１揺動方向と反対の方向である。
【符号の説明】
【００８１】
１  リール本体
２  スプール軸
３  スプール
６  キャスティングコントロール機構
８  側カバー
１３  第１ボス部
１３ａ  ボス本体
１３ｂ  雄ねじ部
３２  操作部材
３２ａ  本体部
３２ｂ  雌ねじ部
３２ｃ  押圧部
１００  両軸受リール
ＨＲ  糸巻き取り方向
Ｒ１  第１回転方向
Ｒ２  第１回転方向
Ｊ１  スプール軸の軸心
Ｊ２  駆動軸の軸心
【図１】
2019000047.tif 000003
【図２】
2019000047.tif 000004
【図３】
2019000047.tif 000005
【図４】
2019000047.tif 000006
【図５】
2019000047.tif 000007